(57)【要約】      （修正有）【課題】外部の会社に集金業務を委託することなく、入金された貨幣を回収する入金機を提供する。【解決手段】投入口より投入される貨幣を鑑別部１１で判定して、許容された貨幣を入金処理する入金機は、入金される貨幣を収納する貯葉部４２と入金される貨幣を受け入れる口部にあって封止可能な封止部４１を有する収納袋４を装填する装填部８と、装填部８にて装填された収納袋４を、鑑別部１１で入金可能と判定された貨幣を収納する特定の位置に移動する移動機構７２〜７４と、貨幣の回収時に特定の位置において収納袋４の封止部４１を封止する封止機能部７１と、封止された収納袋４を一時保持する回収部１０と、上記各部を制御する制御部３とを有し、回収部１０に保持された収納袋４を外部に取り出し可能とした。【選択図】図１
2017107351.tif 000002
【特許請求の範囲】
【請求項１】
投入口より投入される貨幣を鑑別部で判定して、許容された貨幣を入金処理する入金機であって、
入金される貨幣を収納する貯葉部と、入金される貨幣を受け入れる口部にあって封止可能な封止部を有する収納袋を、装填する装填部と、
該装填部にて装填された該収納袋を、前記鑑別部で入金可能と判定された貨幣を収納する特定の位置に移動する移動機構と、
貨幣の回収時に、該特定の位置において該収納袋の該封止部を封止する封止機能部と、
該封止機能部により封止された該収納袋を一時保持する回収部と、
前記各部を制御する制御部と、を有し、
該回収部に保持された該収納袋を外部に取り出し可能とした、ことを特徴とする入金機。
【請求項２】
前記移動機構には複数の該収納袋が取付け可能であり、
前記制御部は、前記回収部に保持された該収納袋が取り出されたとき、該移動機構を制御して次の収納袋を、該特定の位置に移動させるように制御する
ことを特徴とする請求項１に記載の入金機。
【請求項３】
前記収納袋の前記貯葉部は、その一部又は全体が透明なシート状部材から構成され、
前記封止部は、一対の嵌合ピンが係合することで封止される機構を備える
ことを特徴とする請求項１に記載の入金機。
【請求項４】
前記入金機は、取引のためのメニュー画面を表示する表示部と、利用者により入力操作される入力部を持つ操作部を有し、
前記制御部は、該表示部に表示された該メニュー画面から、該操作部の操作により装填が選択された場合、前記装填部から前記収納袋の装填を許容し、
更に、該メニュー画面から、該操作部の操作により収納袋の移動が選択された場合、前記移動機構を制御して、装填された前記収納袋を移動し、次の収納袋の装填を許容する
ことを特徴とする請求項２に記載の入金機。
【請求項５】
前記入金機は、取引のためのメニュー画面を表示する表示部と、利用者により入力操作される入力部を持つ操作部を有し、
前記制御部は、該表示部に表示された該メニュー画面から、該操作部の操作により収納袋の回収が選択された場合、前記封止機能部を制御して、前記収納袋の該封止部を封止し、
更に前記回収部の扉を開いて、該回収部に保持された前記収納袋の取り出しを可能とした
ことを特徴とする請求項１に記載の入金機。
【発明の詳細な説明】
【技術分野】
【０００１】
本発明は、入金機に係り、特に入金された紙幣等の貨幣を収納、集金、回収する入金機に関する。
【背景技術】
【０００２】
銀行等の金融機関で使用される入出金紙幣の取扱装置として、紙幣を金種別に収納する複数の金種別収納部と、複数の金種の紙幣を混合状態で収納する一括収納部を筐体内に備える紙幣処理機が知られている。例えば、特許文献１には、複数の紙幣を混合状態で収納する一括収納部を含む複数の収納部を有し、収納部から繰り出された紙幣の精査処理を短時間で行う紙幣処理機が開示されている。
【先行技術文献】
【特許文献】
【０００３】
【特許文献１】特開２０１５−９５１１６号公報
【発明の概要】
【発明が解決しようとする課題】
【０００４】
ところで、入金機の運用に際して、一つの店舗で入金機に投入された紙幣や硬貨を取り出す作業は、店舗の集計責任者が直接的には行えず、一旦警備会社に集金してもらい、それを店舗の集計責任者に戻すという形態がとられている。この形態は、銀行業部の電子化が進み、大規模な集計業務が整った店舗で適用可能である。
【０００５】
一方、小規模な店舗でも、日々の集計業務を外部の会社に委託することにより、集計業務を効率化したいという動きがある。然しながら、小規模店舗では、入金機の堅牢な金庫構造や、警備会社が毎日集金するとなると、コスト増につながる。このため、上記特許文献１に示されるような入金機は大規模過ぎて、小規模店舗では運用できない。
【０００６】
本発明は、外部の会社に集金業務を委託することなく、入金された貨幣を回収することができる入金機を提供することにある。
【課題を解決するための手段】
【０００７】
上記目的を達成するために、本発明に係る入金機は、好ましくは、投入口より投入される貨幣を鑑別部で判定して、許容された貨幣を入金処理する入金機であって、
入金される貨幣を収納する貯葉部と、入金される貨幣を受け入れる口部にあって封止可能な封止部を有する収納袋を、装填する装填部と、
該装填部にて装填された該収納袋を、前記鑑別部で入金可能と判定された貨幣を収納する特定の位置に移動する移動機構と、
貨幣の回収時に、該特定の位置において該収納袋の該封止部を封止する封止機能部と、
該封止機能部により封止された該収納袋を一時保持する回収部と、
前記各部を制御する制御部と、を有し、
該回収部に保持された該収納袋を外部に取り出し可能とした入金機、として構成される。
【発明の効果】
【０００８】
本発明によれば、外部の会社に集金業務を委託することなく、入金された貨幣を回収する入金機を実現することができる。
【図面の簡単な説明】
【０００９】
【図１】一実態形態における入金機の構成を示す図である。
【図２】入金機の制御ブロック図である。
【図３】収納袋装填部８ないし回収部１０の上面図である。
【図４】封止機能部７１及び収納袋の構成及び貨幣の収納動作を示す図である。
【図５】入金機の全体的動作を示すフローチャートである。
【図６】収納袋の装填処理を示すフローチャートである。
【図７】入金処理を示すフローチャートである。
【図８】収納袋の回収処理を示すフローチャートである。
【発明を実施するための形態】
【実施例１】
【００１０】
以下、図面を参照して、本発明の一実態形態を説明する。  
本実施例に示される入金機は、顧客が投入する紙幣や硬貨等の貨幣の入金機能に、入金された貨幣を収納する収納袋の装填機能及びその回収機能、装填された収納袋に入金された貨幣を収納して当該収納袋を封止する封止機能を備える。
【００１１】
図１及び図２を参照して、入金機の構成について説明する。ここで、図１は、入金機の構成を示す図である。図２は、入金機の制御ブロック図である。  
入金機１００は、入金機能として、通常のＡＴＭ（現金自動取引装置）の入金機能が有する機構や機能を備える。すなわち、入金機能としては、紙幣等の貨幣が投入される投入口１、投入された貨幣のうちリジェクトすべき貨幣を利用者へ返却する返却口１２、利用者が入金の取引等のために操作することができる操作部２、利用者が所持する取引カードを受け入れてその情報を読み取るカード取扱部５（図２）、利用者が入金した金額や回収部１０に回収された金額等を取引明細票に印字してその取引明細票を発行する明細票発行部６（図２）、入金される貨幣の金種や真偽を鑑別する鑑別部１１（図２）、及び上記各構成部位及び後述する構成部位を制御する制御部３を有する。上記操作部２は例えばタッチパネルにより構成され、種々のメニュー画面を表示する表示部と、利用者がタッチ入力する入力部を有する。
【００１２】
制御部３は、入金等の取引情報を処理するホストコンピュータ等の上位装置に接続される。利用者ごとの取引情報や当該入金機１００における入金回収された集計情報は制御部３で処理されて、一時的に記憶部（不図示）に格納され、最終的に制御部３よりホストコンピュータに送信される。なお、ここで利用者とは、金融機関の顧客である場合、及び金融機関の管理者を含む。以後の説明で必要な場合はそれらを区別していうことする。
【００１３】
更に、収納袋の装填機能として、回収すべき貨幣を収納する収納袋４を装填する装填口８１を有する収納袋装填部（以下単に装填部という）８を備える。装填口８１には制御部３からの指示により開閉する扉が設けられる。収納袋４の回収機能として、装填袋回収部（以下単に回収部という）１０を有する。回収部１０には制御部３からの指示により開閉する扉が設けられる。本実施例で取り扱われる収納袋４は、入金された貨幣を収納する貯葉部４１と、収納袋の入り口を閉じる封止部４１を有して構成される。その詳細については後述する。
【００１４】
また、装填部８と回収部１０の間には、収納袋４に貨幣を収納する位置（所定の位置）に収納袋４を移動させるための移動機構が設けられる。所定の位置としては例えば貨幣を鑑別する鑑別部１１の直下が好ましい。移動機構は、収納袋４を掛ける軌道７６，７７（図４）を支持する支持棒７３と、支持棒７２を軸支する回転軸７２と、回転軸７２を回転させるモータ７４と、所定の位置にあって、収納袋４の封止部４１を機械的に封止する封止機能部７１を備える。ここで、収納袋４は金融機関の店舗の管理者によって取り扱われるものであり、本実施例では入金された貨幣を収納する金庫及び回収袋の機能を備えている。収納袋４の貯葉部４１は、入金された貨幣を収納するための強固な布製の袋であり、好ましくはその中身が確認できるように、その一部又は全体が透明なシート状部材で構成されるのがよい。封止部４２は管理者が解錠可能な施錠構造がよい。一例では、封止部４２は、一対の嵌合ピンが嵌合することで閉じられるフック機構である。詳しくは図４を参照して後述する。
【００１５】
次に、図３及び図４を参照して、装填部８及び回収部１０、封止機能部７１の構成について説明する。図３は、入金機の上から見た、収納袋装填部８ないし回収部１０を示す上面図である。図４は、封止機能部７１及び収納袋の構成及び貨幣の収納動作を示す図である。
【００１６】
図３において、装填部８と回収部１を接続する収納袋４の移動機構は、モータ７４の回転軸７２に固定された支持棒７３の先端に、内軌道７６１と外軌道７６２のレールを有する、剛体製のリング７６が固定される。このリング７６の内軌道７６１と外軌道７６２に、収納袋４の封止部４１を構成する嵌合ピン４０３（図４）の基部を保持する板バネ４０４が装着される。封止部４１の詳細は図４を参照して後述するが、収納袋４がリング７６に装着された状態では、封止部４１は開いた状態である。
【００１７】
リング７６への収納袋４の装着は、装填部８の装填口８１において金融機関の管理者によって手作業で行われる。複数例えば８個の収納袋４を装着する場合、所定の間隔（角度４５°）ごとに収納袋４がリング７６に装着される。リング７６に１つの収納袋４が装着されると、リング７６が矢印の方へ４５°回転して位置Ａから位置Ｂに移る。そして、次の装着袋４が位置Ａでリング７６に装着される。このようにして、４５°ごとに８個の装着袋４がリング７６に装着される。勿論、装着される収納袋４の数は金融機関の店舗の運用に応じて決められ、収納袋ごとの間隔は適宜調整され得る。
【００１８】
装着部８で装着された収納袋４は、リング７６の回転によって、封止部４１が開いた状態で、回収部１０付近に設けられた封止機能部７１（位置Ｈ）まで移動される。位置Ｈは、入金が許可された貨幣を即収納する便宜を考慮して、鑑別部１１の下部付近が好ましい。位置Ｈにおいて、入金された紙幣や硬貨が混じった状態で、収納袋４の封止部４１から貯葉部４２に入る。回収の時期になると、封止機能部７１が動作して、収納袋４の封止部４１が封止され、その後に収納袋４は回収部１０に落下する。
【００１９】
図４を参照して、封止機能部７１及び収納袋４の構成及び貨幣の収納動作について詳しく説明する。  
収納袋４の封止部４１は、がま口状で、一対の嵌合ピン４０３と、嵌合ピン４０３の基部と係合して係合ピン４０３を開いた状態に保つ板バネ４０４を備える構造となっている。この板バネ４０４がリング７６の内軌道７６１と外軌道７６２に掛けられて、収納袋４の封止部４１がリングに装着される。板バネ４０４の発生する力(ＰＦ)は、貯葉部４２に収納される貨幣と収納袋４を合わせた重量(ＣＷ)を超えるが、嵌合状態となっている嵌合ピン４０３を非嵌合状態とするための力(ＤＬ)より少ない。即ち、ＣＷ<ＰＦ<ＤＬの関係となる。 
封止機能部７１は、係合ピン４０３の一端を押す封止押当部７０７と、先端に封止押当部７０７を固定したクランク部７０２と、クランク部７０２を移動させる発條部７０１と、クランク部７０２の後端部に設けられた偏心カム７０５と、偏心カム７０５を固定する偏心シャフト７０６から構成される。封止押当部７０７と偏心シャフト７０６の間に、発條部７０１をクランク部７０２と併設することにより、封止押当部７０７と偏心シャフト７０６を常時対峙させ、偏心シャフト７０６の回転運動が、封止押当部７０７の直線運動となる。偏心シャフト７０６は封止モータ（不図示）からの動力により起動される。封止モータは制御部３と接続され、制御部３の指示によって起動される。
【００２０】
封止モータの回転によって、偏心シャフト７０６が上死点状態から下死点状態になることにより、封止押当部７０７が図４（Ａ）の位置から図４（Ｂ）の位置に移動する。これにより、係合ピン４０３の先端部が封止押当部７０７によって押されて、両者の係合ピン４０３が係合して封止部４１が閉じられる。
【００２１】
封止部４１が閉じられると、収納袋４はがま口が閉じたような状態となり、内軌道７６１及び外軌道７６２から板バネ４０４が外れて、収納袋４は回収部１０内に落下して、そこに保管される（図４（Ｃ））。その後、管理者が、施錠された回収部１０の扉を開錠して、収納部１０から収納袋４を取り出す。
【００２２】
次に、図５乃至図８を参照して、入金取引及び、入金機への収納袋の装填及び回収動作について説明する。以下の動作は、制御部３の制御により実行される。
【００２３】
図５は入金機の全体的動作を示すフローチャートである。  
入金機１００の電源スイッチがオンして入金機が稼働すると（ステップ５０１）、制御部３の制御の下、操作部２の画面には、利用者が操作可能なメニュー画面が表示される。メニュー画面には、顧客が選択可能なメニュー画面と、金融機関の管理者が選択可能なメニュー画面が用意される。前者の顧客用のメニュー画面には、例えば「入金」、「残高照会」、「記帳」等の項目が含まれる。また、後者の管理者用のメニュー画面には、例えば「収納袋の装填」、「収納袋の回収」、「集計」等の項目が含まれる。通常、操作部２には顧客のメニュー画面がされているが、管理者が管理者カードをカード取扱部５に挿入して操作が許容された場合には、管理者用のメニュー画面が表示される。その意味では、図５の処理は、管理者用のメニュー画面が表示される場合の処理である。
【００２４】
この例では、管理者は、「収納袋装填」、「貨幣入金」、「収納袋回収」のいずれかのメニューのボタンを選択することになる（ステップ５０２）。管理者が収納袋４の装填を行いたい場合は、「収納袋装填」のボタンを操作する（ステップ５０３）。すると、制御部３は収納袋装填の処理（図６参照）に移行する（ステップ５０４）。管理者が、入金機１００を顧客による入金処理に設定したい場合は、「貨幣入金」のボタンを操作する（ステップ５０５）。すると、制御部３は入金動作（図７参照）に移行する（ステップ５０６）。また、管理者が収納袋４の回収を行いたい場合は、「収納袋回収」のボタンを操作する（ステップ５０７）。すると、制御部３は収納袋の回収動作（図８参照）に移行する（ステップ５０８）。  
以下、選択された各処理動作について説明する。
【００２５】
図６は、収納袋４の装填処理を示すフローチャートである。  
管理者が、操作部２に表示されたメニュー画面から「収納袋装填」のボタンを操作すると（ステップ６０１）。制御部３は、装填口１３に対して指示を送って、装填口８１の扉を開く（ステップ６０２）。管理者は、扉の開いた装填口８１から装填部８内において、収納袋４の封止部４が開いた状態で（即ち嵌合ピン４０３が開いた状態で）、封止部４１の板バネ４０４をリング７６の内軌道７６１及び外軌道７６２に係止して、収納袋４を装填する（ステップ６０３）。複数の収納袋４を装填する場合には、例えば、装填処理用のメニュー画面に含まれるメニュー「装填終了」又は「収納袋移動」を選択することができる。
【００２６】
メニュー画面から、「装填終了」が選択されないで、「収納袋移動」ボタンが選択された場合（ステップ６０５）、制御部３は、モータ７４を回転させて、支持棒７３に固定されたリング７６を例えば４５°回転させて止める。すると、次の装填位置が装填部８に移動する（ステップ６０６）。管理者は再び、装填部８において収納袋４をリング７６に係止する。この動作は上記と同様である。このような動作を繰り返して、リング７６には最大８個の収納袋４が装填できる。
【００２７】
管理者が必要な数の収納袋４を装填した後、メニュー画面から「装填終了」のボタンを選択すると（ステップ６０４）、制御部３は装填が完了したと判断して、操作部２の画面により装填口８１を閉めるように案内する。そして、管理者が装填口８１の扉を閉めて施錠することで（ステップ６０７）、一連の装填動作を終了する。装填口８１の扉が完全に閉められたことは、制御部３は光学センサによる検知で確認する。
【００２８】
図７は、顧客による入金処理を示すフローチャートである。  
入金処理の場合、メニュー画面には入金処理に必要な選択項目を含まれている。顧客が操作部２に表示されたメニュー画面から「入金」ボタンを選択すると（ステップ７０１）、制御部３は、投入口１からの貨幣の入金を許容する（ステップ７０２）。顧客は必要な金額の紙幣又は硬貨を投入口１から投入する。
【００２９】
制御部３は、収納袋４の収納容量には限界があるので、入金動作の度に収納袋４が満杯かの判定、即ち入金が可能かの判定を行う（ステップ７０３）。この判定は、一例としては鑑別部１１による貨幣の鑑別結果を用いて行うことができる。即ち、鑑別部１１は、入金された紙幣や硬貨の種類及びそれぞれの数量を把握できるので、それらの合計値がどの程度ならば収納袋４が満杯になるか判断可能である。もちろん、収納袋４が物理的に完全に満杯であることが検知する必要はなく、要は満杯に近い状態或いは所定の累積金額が検知できて、収納袋４が円滑に回収できればよいとする。
【００３０】
ステップ７０３における判断の結果、容量が満杯であると判断した場合、制御部３はその旨をホストコンピュータに通知して（ステップ７０７）、入金できなかった貨幣を返却口１６へ返却する（ステップ７０８）。この場合、制御部３は、操作部２に貨幣返却の旨の画面を表示して、明細票発行部６から入金済みの金額を印字した明細票を発行すると共に、カード取扱部５から顧客の取引カードを返却する等、入金取引の終了のための処理を行う。
【００３１】
ステップ７０３における判断の結果、容量が満杯でないと判断した場合、鑑別部３は、投入された貨幣の金種判定及び真偽判定を行う（ステップ７０４）。鑑別部３によって正常と判定された貨幣は、封止部４が開かれた収納袋の貯留部４２に収納される（ステップ７０５）。このように、顧客が入金した貨幣を全て収納袋４に収納し終わるまで、ステップ７０２で戻って上記ステップを繰り返す（ステップ７０６）。ステップ７０６において全ての貨幣の入金が終了したと判断されたら、明細票発行部６にて入金された合計金額を印字した明細票を発行して、一連の入金取引を終了する（ステップ７０９）。
【００３２】
上記ステップ７０１〜ステップ７０９により、顧客が入金した貨幣は収納袋４に収納される。上記実施例は、収納袋４は入金貨幣を収納する金庫の役割を果たすものである。この他に特殊な機能として、夜間金庫のような機能を実現することも可能である。即ち、顧客がメニュー画面から夜間金庫を選択した場合、制御部３は鑑別部１１の鑑別機能から金種判定を行わない動作モード（鑑別無しモード）を実行するように制御する。この動作モードによれば、紙幣として真偽判定が行えなかった、通常であれば顧客へ返却する紙幣でも入金を許容して、金庫代わりに収納袋４に収納することが可能である。
【００３３】
また、上記ステップ７０３の他の例として、上記のような鑑別部１１による入金貨幣の合計金額を用いて容量の満杯の判定をしないで、収納袋４の側部及び下部の位置を検知するための複数の光学センサを設置しておき、これらの光学センサからの検知信号を用いて、制御部１１が、収納袋４が予め定めた基準の容量（即ち貨幣の収納に伴って収納袋４が膨らんで満杯の容量）に達したと判定することもできる。
【００３４】
図８は、収納袋の回収処理を示すフローチャートである。  
収納袋の回収は、ホストコンピュータ（不図示）から管理者端末（不図示）へ、収納袋が満杯或いは回収時期になった旨の通知があったことを契機にして管理者によって行われる。回収時期になった時とは、満杯にならなくても毎日一回例えば所定の時刻になった時に、管理者端末に、収納袋の回収指示がある場合である。
【００３５】
管理者が、操作部２に表示されたメニュー画面から「回収」ボタンを選択すると（ステップ８０１）、制御部３は封止機能部７へ、収納袋４の封止部４１の口を閉じるように制御する（ステップ８０２）。即ち、制御部３は封止モータ（不図示）を起動して、それにより偏心カム７０５を所定量回転させてクランク部７０２を移動して、封止押当部７０７を押して嵌合ピン４０３を移動させる。嵌合ピン４０３の移動によって封止部４１の口は、がま口が閉じるように封止される（ステップ８０２）（図４（Ｂ）参照）。
【００３６】
そして、収納袋４の封止部４１の口が閉じられると、収納袋４は回収部１０に落下する（ステップ８０３）（図４（Ｃ）参照）。その後、制御部３からの指示により、収納袋４を取り出すために回収部１０の扉が開く（ステップ８０４）。管理者は扉の開いた回収部１０から収納袋４を取り出す（ステップ８０５）。管理者が回収部１０から収納袋４を取り出すと、制御部３は明細票発行部６に対して収納袋４の回収に伴う取引明細票を発行するように指示を出す。明細票発行部６はこの指示を受けて、回収の取引明細票に所定の事項を印字して発行する（ステップ８０６）。取引明細票には、回収した貨幣の合計金額や回収日時、等が印字される。
【００３７】
管理者が、回収部１０の扉を閉めると（ステップ８０７）、付近に設置されたセンサが扉閉じを検知して制御部３へ通知する。制御部３は、回収部１０の扉が閉じられたことを認識すると、モータ７４を回転して支持棒１５を所定角度（例えば４５°）回転させて、以降に入金される貨幣を収納するための収納袋４を、所定の位置（即ち回収部１０の位置）に移動させる（ステップ８０８）。
【００３８】
以上の一連の動作により、収納袋４の回収が完了し、以降の入金取引が可能な状態となる。
【００３９】
本実施例によれば、入金の集計処理業務の電子化が余り進んでいないような小規模の金融機関において、日々の集計業務を外部の会社に委託することなく、入金された貨幣の集金、回収して、集計業務を低コストで容易に実現できる。
【００４０】
なお、本発明は上記した実施例に限定されることなく、種々変形や代替して実施することができる。例えば、上記実施例（図４参照）において、収納袋４の封止部４１の封止機構や、封止機能部７１の構成は一例であって上記した例に限定されない。例えば、封止部４１に嵌合ピン４０３を用いないで、それをファスナー構造でもよい。この場合、ファスナーの一端を図４の内軌道７６に支持装填し、ファスナーの引き金具を外軌道７７に装填しておく。この場合、収納袋４の装填方向が上記した例と９０°異なることになる。制御部３からの回収の指示によって外軌道７７側に取り付けたクランク部７０２用のモータを回転させることで、ファスナーの引き金具を、図４の左側から右方向へ移動させて収納袋４の封止部４１を閉じることができる。
【００４１】
また、収納袋４の封止部４１や封止機能部７１の他の構成例として、封止部４１に嵌合ピン４０３を用いないで、封止部４１の内側を接着テープ構造とし、回収時に封止押当部７０７を封止部４１に押し当てることで、封止部４１を接着させることが可能である。
【符号の説明】
【００４２】
１：投入口      １２：返却口    ２：操作部      ３：制御部
４：収納袋      ４１：封止部    ４２：貯葉部    ４０３：嵌合ピン    ４０４：板バネ
７１：封止機能部      ７２：回転軸      ７３：支持棒      ７４：モータ
１０：収納袋回収部    １１：鑑別部      １２：紙幣返却口
８：収納袋装填部      ８１：装填口      ７３：支持棒      ７６：リング
【図１】
2017107351.tif 000003
【図２】
2017107351.tif 000004
【図３】
2017107351.tif 000005
【図４】
2017107351.tif 000006
【図５】
2017107351.tif 000007
【図６】
2017107351.tif 000008
【図７】
2017107351.tif 000009
【図８】
2017107351.tif 000010